(57)【要約】【課題】刈払機への取付が簡単な刈払機用ポンプを提供する。【解決手段】刈払機１０における刃１５が着脱可能に装着される回転体１１に対し、刃１５に代えて、一端側２０ｂが着脱可能に連結されるポンプ軸２０と、ポンプ軸の他端側２０ｃに設けられたインペラ２１と、インペラ２１によって生じる水流のための吸水口３１と、吐出口３２とを有するポンプケース３０と、ポンプケース３０の、回転体１１との共回りを防止する、共回り防止部５０を備えている。刈払機１０のヘッド１０ｈから刃１５を取り外し、回転体１１に取付部材２３をナット２２で芯出ししながら固定し、刈払機１０のメインパイプ１０ｐにアーム部材５０を掛けるとともに、取付部材２３にジョイント部材２４を連結することによって、刈払機１０のヘッド１０ｈに取り付けることができる。【選択図】図２
2015167547.tif 000002
【特許請求の範囲】
【請求項１】
刈払機における、刃が着脱可能に装着される回転体に対し、前記刃に代えて、一端側が着脱可能に連結されるポンプ軸と、
このポンプ軸の他端側に設けられたインペラと、
このインペラを収納し、該インペラによって生じる水流のための吸水口と吐出口とを有するポンプケースと、
を備えていることを特徴とする刈払機用ポンプ。
【請求項２】
請求項１において、
前記ポンプケースの、前記回転体との共回りを防止する、共回り防止部を備えていることを特徴とする刈払機用ポンプ。
【請求項３】
請求項１または２において、
前記ポンプ軸の一端側は、
前記回転体に対し、該回転体が中心に備えるボルトに対して結合される、先端が先細テーパー状となったナットと、
このナットにおける前記先細テーパー状の先端と嵌り合うテーパー穴を中心に備え、これら先細テーパー状の先端とテーパー穴との押圧を伴う嵌り合いによって、前記回転体に対して締結固定される取付部材と、
を介して前記回転体に連結されることを特徴とする刈払機用ポンプ。
【発明の詳細な説明】
【技術分野】
【０００１】
本発明は、刈払機用ポンプに関する。より詳しくは、刈払機の刃に代え、刈払機の先端に装着して使用するポンプに関するものである。
【背景技術】
【０００２】
従来、例えば特許文献１に見られるように、刈払機の先端に取り付けるポンプが知られている。
このようなポンプによれば、刈払機の先端に取り付けて、川や池の水を吸水し散水等することができる。
【先行技術文献】
【特許文献】
【０００３】
【特許文献１】特開平８−２９８８３６号公報
【発明の概要】
【発明が解決しようとする課題】
【０００４】
上述した従来の刈払機用ポンプは、刈払機の先端に取り付ける際、刈払機の刃だけでなくヘッド部を取り外して、その代わりにポンプを取り付ける必要があり（同文献の図３）、その作業が大変であった。
本発明が解決しようとする課題は、刈払機への取付が簡単な刈払機用ポンプを提供することである。
【課題を解決するための手段】
【０００５】
上記課題を解決するために本発明の刈払機用ポンプは、
刈払機における、刃が着脱可能に装着される回転体に対し、前記刃に代えて、一端側が着脱可能に連結されるポンプ軸と、
このポンプ軸の他端側に設けられたインペラと、
このインペラを収納し、該インペラによって生じる水流のための吸水口と吐出口とを有するポンプケースと、
を備えていることを特徴とする。
この刈払機用ポンプによれば、刃に代えて、ポンプ軸の一端側を刈払機における回転体に連結することによって、使用可能となる。
したがって、従来の刈払機用ポンプに比べて刈払機への取付が簡単になる。
【０００６】
この刈払機用ポンプにおいては、
前記ポンプケースの、前記回転体との共回りを防止する、共回り防止部を備えた構成とすることができる。
このように構成すると、前記ポンプケースの、前記回転体との共回りを防止することによって、確実簡単にポンプ機能を高めることができる。
【０００７】
この刈払機用ポンプにおいては、
前記ポンプ軸の一端側は、
前記回転体に対し、該回転体が中心に備えるボルトに対して結合される、先端が先細テーパー状となったナットと、
このナットにおける前記先細テーパー状の先端と嵌り合うテーパー穴を中心に備え、これら先細テーパー状の先端とテーパー穴との押圧を伴う嵌り合いによって、前記回転体に対して締結固定される取付部材と、
を介して前記回転体に連結される構成とすることができる。
このように構成すると、前記回転体とポンプ軸との同心性を確保しやすくなり、ポンプの円滑な作動を得やすくなる。
【図面の簡単な説明】
【０００８】
【図１】本発明に係る刈払機用ポンプの一実施の形態を示す一部切断平面図。
【図２】図１における２−２断面図。
【図３】図２における３−３断面図。
【図４】図２の部分拡大図。
【図５】図２の部分拡大図。
【発明を実施するための形態】
【０００９】
以下、本発明に係る刈払機用ポンプの実施の形態について図面を参照して説明する。なお、各図において、同一部分ないし相当する部分には、同一の符号を付してある。
【００１０】
図１〜図３(主として図２)に示すように、この実施の形態の刈払機用ポンプＰは、刈払機１０における、刃１５が着脱可能に装着される回転体１１に対し、刃１５に代えて、一端側２０ｂが着脱可能に連結されるポンプ軸２０と、このポンプ軸２０の他端側２０ｃに設けられたインペラ２１と、このインペラ２１を収納し、該インペラ２１によって生じる水流のための吸水口３１と吐出口３２とを有するポンプケース３０とを備えている。
【００１１】
この刈払機用ポンプＰは、刃１５に代えて、ポンプ軸２０の一端側２０ｂを刈払機１０における回転体１１に連結することによって、使用可能となる。
したがって、従来の刈払機用ポンプに比べて刈払機１０への取付が簡単になる。
【００１２】
この実施の形態の刈払機用ポンプＰは、公知の刈払機１０のヘッド１０ｈに取り付けて使用するものである。図１、図２において、１０ｐは刈払機１０のメインパイプであり、このメインパイプ１０ｐの先端にヘッド１０ｈが設けられている。メインパイプ１０ｐの図示しない端部には、エンジン等の動力源が設けられており、その動力源の動力が、メインパイプ１０ｐ内に通っている動力伝達シャフトを通じて、ヘッド１０ｈ内のベベルギア等からなる動力伝達機構を介して前記回転体１１に伝達され、回転体１１が回転駆動される。
【００１３】
ポンプ軸２０の一端側２０ｂは、回転体１１がその中心に一体的に備えるボルト１１ｂに対してねじ結合によって直接連結することもできる。
しかしこの実施の形態では、図４にも示すように、ポンプ軸２０の一端側２０ｂは、回転体１１に対し、該回転体１１がその中心に一体的に備えるボルト１１ｂに対して結合される、先端が先細テーパー状２２ｔとなったナット２２と、このナット２２における先細テーパー状の先端２２ｔと嵌り合うテーパー穴２３ｔを中心に備え、これら先細テーパー状の先端２２ｔとテーパー穴２３ｔとの押圧を伴う嵌り合いによって、回転体１１に対して締結固定される取付部材２３と、を介して回転体１１に連結される。
このように構成すると、回転体１１とポンプ軸２０との同心性を確保しやすくなり、ポンプの円滑な作動を得やすくなる。
【００１４】
この実施の形態では、ポンプ軸２０の一端側２０ｂは、ジョイント部材２４を介して前記取付部材２３に連結される。
ジョイント部材２４は、小筒部２４ａを有する基部２４ｂが、ポンプ軸２０の一端側２０ｂにボルト２４ｎでワッシャ２４ｗを介して締結固定されることで連結され、筒状部２４ｃの外周面に形成された雄ねじ２４ｓが、取付部材２３の筒状部２３ｃの内周面に形成された雌ネジ２３ｓとねじ結合することによって、取付部材２３に連結されている。
【００１５】
図２、図３，図５に示すように、ポンプ軸２０の他端側２０ｃには、ボルト２０ｎでワッシャ２０ｗを介してインペラ２１が締結固定されている。
【００１６】
図１，図２に示すように、この刈払機用ポンプＰは、ポンプケース３０の、回転体１１との共回りを防止する、共回り防止部５０を備えている。
共回り防止部５０を設けて、ポンプケース３０の、回転体１１との共回りを防止することによって、確実簡単にポンプ機能を高めることができる。
この刈払機用ポンプＰは、前述したように、従来のものとは異なり、ヘッド１０ｈごと交換するのではなく、ヘッド１０ｈに対し、刃１５に代えて取り付ける構造であるから、ポンプケース３０の設置状態（刈払機用ポンプＰの使用状態）によっては、ポンプケース３０が回転体１１と共回りしてしまうこともあり得る。
そこでこの実施の形態では、共回り防止部５０を設けて、ポンプケース３０の、回転体１１との共回りを防止する構成とした。
【００１７】
共回り防止部５０は、ポンプケース３０の、回転体１１との共回りを防止できる構成であれば、適宜の構成を採用し得る。
この実施の形態では、ポンプ軸２０を支持するスリーブ４０をポンプケース３０に対して固定し、このスリーブ４０に、共回り防止部５０を構成するアーム部材（５０）の基部側５１をボルト５１ｂで固定し、アーム部材５０の二又状の先端側５２(図１)を刈払機１０のメインパイプ１０ｐに掛けることによってポンプケース３０の共回りを防止した。
【００１８】
図１に示すように、スリーブ４０は、そのフランジ部４１をボルト４１ｂでポンプケース３０に締結固定することでポンプケース３０に固定される。
図２等において、４２はベアリング、４３はシール部材(オイルシール)、４４はカラーである。
なお、スリーブ４０は必ずしも必要ではなく、アーム部材５０の基部側５１はポンプケース３０に固定しても同様の共回り防止効果が得られる。
【００１９】
図５に示すように、ポンプケース３０は、全体として略一対のカップ状部材（３０ｂ、３０ｃ）をネジ結合３０ｓすることで構成されている。一方のカップ状部材であるベース部材３０ｂに対して前述したようにスリーブ４０が固定されており、ベース部材３０ｂに対して、仕切板３５を挟持するようにして、他方のカップ状部材であるカバー部材３０ｃがネジ結合３０ｓされている。仕切板３５の略中央部分に、前述した吸水口３１が設けられている。
カバー部材３０ｃの中央部分には凹部３０ｈが設けられており、この凹部３０ｈの底板に小径の取水孔３４が多数設けられているととも、凹部３０ｈ内にフィルター３３が収納されている。
【００２０】
以上のような刈払機用ポンプＰは、刈払機１０のヘッド１０ｈから刃１５を取り外し、ヘッドの１０ｈの回転体１１に取付部材２３をナット２２で芯出ししながら固定し、刈払機１０のメインパイプ１０ｐにアーム部材５０を掛けるとともに、取付部材２３にジョイント部材２４を連結することによって、刈払機１０のヘッド１０ｈに取り付けることができ、吸水口３１を水中に入れるとともに、図示しない原動機を作動させることで、インペラ２１を回転駆動して、吸水口３１から水を吸引して吐出口３２から吐出することができる。
吐出口３２には、例えばホース用ジョイントを介してホースを接続でき、散水等を行うことができる。
【００２１】
以上、本発明の実施の形態について説明したが、本発明は上記の実施の形態に限定されるものではなく、本発明の要旨の範囲内において適宜変形実施可能である。
【符号の説明】
【００２２】
１０：    刈払機
１１：    回転体
１１ｂ：  ボルト
１５：    刃
２０：    ポンプ軸
２０ｂ：  一端側
２０ｃ：  他端側
２１：    インペラ
３０：    ポンプケース
３１：    吸水口
３２：    吐出口
２２：    ナット
２２ｔ：  先端
２３：    取付部材
２３ｔ：  テーパー穴
５０：    共回り防止部
【図１】
2015167547.tif 000003
【図２】
2015167547.tif 000004
【図３】
2015167547.tif 000005
【図４】
2015167547.tif 000006
【図５】
2015167547.tif 000007